(57)【要約】【課題】画像形成装置に収納する際に、記録紙が分離爪から外れないようにした給紙カセットを提供する。【解決手段】積載した記録紙の給紙側上端を規制する分離爪５２１，５２２を備え、装置本体に対して、給紙方向に直交する方向に挿脱自在な給紙カセット１９であって、その分離爪５２１，５２２は、カセット本体１９ｂに対して、給紙カセット１９ｂの挿脱方向に往復移動自在に取り付けられており、かつ、そのカセット本体１９には、分離爪５２１，５２２の移動を規制するための規制部材５３１，５３２を備えている。【選択図】  図１２
2004315158.tif 000002
【特許請求の範囲】
【請求項１】
積載した記録紙の給紙側上端の位置を規定する分離爪を備え、装置本体に対して、給紙方向に直交する方向に挿脱自在な給紙カセットであって、
前記分離爪は、カセット本体に対して、前記給紙カセットの挿脱方向に往復移動自在に取り付けられていることを特徴とする給紙カセット。
【請求項２】
前記カセット本体には、前記分離爪の移動範囲を規制するための規制部材を備えたことを特徴とする請求項１に記載の給紙カセット。
【請求項３】
前記規制部材は、前記分離爪の両側に設けられていることを特徴とする請求項２に記載の給紙カセット。
【請求項４】
前記分離爪は、弾発部材により、前記給紙カセットの取り出し方向に付勢されていることを特徴とする請求項１に記載の給紙カセット。
【請求項５】
少なくとも画像情報に基づいて画像を形成する画像形成部と、記録紙を積載する給紙カセットと、を備え、前記画像形成部で形成した画像を、前記給紙カセットから繰り出した記録紙に転写する画像形成装置において、
装置本体に、請求項１ないし４のいずれかに記載の給紙カセットを備えたことを特徴とする画像形成装置。
【発明の詳細な説明】
【０００１】
【発明の属する技術分野】
本発明は、例えば、各種複写機やプリンタ等の画像形成装置に設けられる給紙カセット及び画像形成装置に関する。
【０００２】
【従来の技術】
近年、画像形成装置は、コンパクト化の要請から、占有面積を小さくするために、フロントアクセスタイプの開発が盛んになっている。フロントアクセスタイプの画像形成装置は、装置上部に原稿読み取り装置（スキャナ部）を、装置下部に給紙機構を、それぞれ設け、その中間部側面に画像形成部を配設して、全体が略“コ”の字型に形成され、その中間空間部に印字用紙の排出部を設けるように構成される。このようなタイプにおける給紙機構は、通常、装置本体の手前側に給紙カセットを引き出した状態で用紙の補給を行い、補給が終了した後に装置本体に挿入するようになっている。
【０００３】
その給紙カセットには、装置本体内に給紙カセットを挿入した時に、積載した記録紙の上端位置を規定するための分離爪が設けられている。しかし、その分離爪は、記録紙を給紙カセットに積載状態に収納する際に、邪魔になることがある。そこで、記録紙補給時には、その分離爪を給紙の邪魔にならない状態に保持させるようにした給紙カセットが提案されている（例えば、特許文献１参照）。
【０００４】
この給紙カセットは、記録紙の上端位置を規定する分離爪の動きをその揺動範囲の上端側に拘束する第１の位置と、その拘束を解除した第２の位置とに変換するコマ部材と、カセツトが給紙装置本体から外されている状態のときには該コマ部材を上記第１の位置に保持する付勢部材と、カセット１が給紙装置本体に装着されたときには給紙装置本体側の部材と干渉してコマ部材を付勢部材に抗して第２の位置に変換させる部材と、を備えている。
【０００５】
このような構成により、給紙カセットを装置本体から取り外した状態では、揺動分離爪が、コマ部材によって、上下揺動範囲の上端側の第１の位置に拘束されるため、この状態では、中板を押し下げても、揺動分離爪は一緒に下がらず、従って、記録紙の補給作業の妨げになることはない。
【０００６】
【特許文献１】
特開平４−２９２３４３号公報（段落「００１４」，図１）
【０００７】
【発明が解決しようとする課題】
しかしながら、従来の給紙カセットを装置本体に挿入する際には、装置の手前側から奥側に向けて配置されている挿入ガイド板上を摺動する給紙カセットが挿入端に当接すると衝撃力が発生し、装置の手前側に戻ろうとする反力が給紙カセットに発生する。
【０００８】
この時、給紙カセットに積載されている記録紙は、その慣性力によって、給紙カセットの反力の方向とは逆に奥側に押し付けられて湾曲し、その一部（特に手前側）が分離爪から外れてしまい、次工程での給紙動作で、ダブルフィードやジャムを発生させることがある。
【０００９】
本発明は、このような実情に鑑みてなされ、装置本体に収納する際に、記録紙が分離爪から外れないようにした給紙カセット及び画像形成装置を提供することを目的とする。
【００１０】
【課題を解決するための手段】
本発明は、上述の課題を解決するための手段を以下のように構成している。
【００１１】
（１）積載した記録紙の給紙側上端の位置を規定する分離爪を備え、装置本体に対して、給紙方向に直交する方向に挿脱自在な給紙カセットであって、
前記分離爪は、カセット本体に対して、前記給紙カセットの挿脱方向に往復移動自在に取り付けられていることを特徴とする。
【００１２】
この構成においては、分離爪を給紙カセットの着脱方向に移動自在に取り付けるので、給紙カセットの挿入時に衝撃が発生しても、記録紙と分離爪が共に移動するため、分離爪が記録紙の上端から離れることがない。従って、記録紙が分離爪から外れることがなく、ダブルフィードやジャムの発生を防止することができ、安定した給紙が可能となる。
【００１３】
（２）前記カセット本体には、前記分離爪の移動範囲を規制するための規制部材を備えたことを特徴とする。
【００１４】
この構成においては、分離爪の移動範囲を規制する規制部材を備えるので、給紙カセットの挿入時に、大きな衝撃が発生しても、分離爪は、その移動動作が規制されるため、大きく移動することがなく破損を免れる。また、記録紙の挿入時に分離爪は規制部材によって移動範囲が規制されているので、記録紙挿入時の妨げになるのが阻止される。
【００１５】
（３）前記規制部材は、前記分離爪の両側に設けられていることを特徴とする。
【００１６】
この構成においては、分離爪の両端に規制部材を設けたので、給紙カセットの挿入時に、大きな衝撃が発生しても、分離爪は移動が規制されるため、破損を免れる。また、記録紙の挿入時に分離爪は規制部材によって移動範囲が規制されるので、記録紙挿入時の妨げになることがない。
【００１７】
（４）前記分離爪は、弾発部材により、前記給紙カセットの取り出し方向に付勢されていることを特徴とする。
【００１８】
この構成においては、分離爪が、弾発部材によって、給紙カセットの取り出し方向に付勢されているので、給紙カセットの挿入時に、移動した分離爪を元の位置に復帰させた後に、給紙動作を開始することができる。従って、ダブルフィードやジャムの発生を防止して、安定した給紙が可能となる。
【００１９】
（５）少なくとも画像情報に基づいて画像を形成する画像形成部と、記録紙を積載する給紙カセットと、を備え、前記画像形成部で形成した画像を、前記給紙カセットから繰り出した記録紙に転写する画像形成装置において、
装置本体に、前記（１）項ないし（４）項のいずれかに記載の給紙カセットを備えたことを特徴とする。
【００２０】
この構成においては、分離爪を給紙カセット着脱方向に往復移動自在に取り付けた給紙カセットを備えているので、給紙カセット装着時に、衝撃が加わった場合であっても、記録紙と分離爪が共に移動し、分離爪が記録紙の上端から離れることがないので、記録紙が分離爪から外れることがなく、ダブルフィードやジャムの発生を防止することができ、安定した給紙が可能となる。
【００２１】
【発明の実施の形態】
以下に、本発明の実施の形態に係る給紙カセット及び画像形成装置について詳細に説明する。
【００２２】
《画像形成装置》
図１は、フロントアクセスタイプの画像形成装置１の構成を示し、この画像形成装置１の構成は大別して、原稿読み取り部（原稿読み取り手段）２０、印字部３０、給紙部４０、排紙部５０に分類され、原稿読み取り部２０が、給紙部４０の上方に配設され、かつ、排紙部５０が、原稿読み取り部２０と給紙部４０の中間部に配設されている。
【００２３】
原稿読み取り部２０は、その上面に透明なガラス等からなる原稿台４を有し、この原稿台４の下方には、スキャナー光学系５が配設されている。このスキャナー光学系５は、コピーランプ６ａを備えたコピーライトユニット６、第１ミラー７ａ、第２ミラー７ｂ、第３ミラー７ｃからなる反射鏡７、結像レンズ８、および、ＣＣＤ（光電子変換素子）９を備えている。
【００２４】
コピーランプ６ａは、原稿台４上に載置された原稿に光を照射し、反射鏡７は、原稿からの反射光を結像レンズ８に導く。結像レンズ８から出射された光は、ＣＣＤ９で受光される。印字部３０には、感光体ドラム１０（静電像担持体）、現像装置１１、転写チャージャ１２、クリーニング装置１３、帯電ユニット１４、図示しないレーザスキャンニングユニット（ＬＳＵ）等が備えられている。
【００２５】
ＬＳＵは、ＣＣＤ９で読み取った画像データを画像処理することで得られた画像データに基づき、レーザ光を、図示の時計回りに回転している感光体ドラム１０の表面に照射して、感光体ドラム１０表面に静電潜像を形成する。現像装置１１は、ＬＳＵによって露光することにより形成された感光体ドラム１０表面の静電潜像を、トナーにより可視像化する。
【００２６】
転写ユニット１２は、感光体ドラム１０のトナー像を、用紙（本発明の用紙）に転写する。クリーニング装置１３は、感光体ドラム１０表面に残留したトナーを除去する。帯電ユニット１４は、感光体ドラム１０を所定の電位に帯電させる。転写紙である用紙の搬送路には、ピックアップローラ１５、レジスト前検知スイッチ（図示せず）、レジストローラ（ＰＳローラ）１６、定着ローラ１７、定着紙検知スイッチ（図示せず）、排紙検知スイッチ（図示せず）、および、排紙ローラ１８が、この順で備えられている。
【００２７】
用紙は、予め、用紙カセット１９に収納されている。上記ピックアップローラ１５は、用紙カセット１９の先端部に配設され、用紙を用紙搬送路に供給する。上記レジスト前検知スイッチは、用紙の通過を検知する。レジストローラ１６は、上記レジスト前検知スイッチの信号を基に、感光体ドラム１０上のトナー像と、用紙との位置合わせを行なう。
【００２８】
定着ローラ１７は、上定着ローラと下定着ローラとからなり、用紙上のトナー像を熱により定着させる。上記定着紙検知スイッチは、用紙が上記定着ローラ１７を通過したことを検知する。上記排紙検知スイッチは、排紙ローラ１８の手前に位置し、用紙が通過したかを検知する。上記排紙ローラ１８は、用紙を排紙する。なお、用紙は、印字部３０の横側、かつ、上記用紙カセット１９の上部、かつ、上記画像読み取り部２０の下部に排出される。
【００２９】
次に、上記画像形成装置１における画像形成工程を説明する。
まず、本画像形成装置１は、印字モードとしてコピアモード、プリンタモード、ＦＡＸモードを有し、制御部において、各モードにおける印字要求内容に応じて各処理モードが選択される。
【００３０】
以下に、上記各処理モードの中からコピアモードについて説明する。
まず、原稿読み取り部２０のプラテンガラス４上に印字を希望する原稿を載置する。次に、ユーザーが給紙部４０の給紙カセット１９に用紙を装着し、装置の外装前面部に配置される操作パネル上の条件入力キー（印字枚数／印字倍率等々）を入力し、スタートキーを押し下げるとコピー動作が開始される。
【００３１】
スタートキーが押されると、ほぼ同時にメイン駆動モーターが始動し、各駆動ギャーが回転する。その後、ピックアップローラ１５が回転し用紙が給紙され、給紙された用紙は、搬送ローラ２５を通過してレジストローラ１６へ到達する。ここで、用紙は、感光体ドラム１０上の画像先端部と同期をとるため、一時停止し、用紙の先端部は、均一にレジストローラ１６に押しつけられて用紙の先端位置の補正が行なわれる。
【００３２】
一方、原稿読み取り部２０において原稿読み取り中の画像情報は、コピーランプ６ａが点灯し、コピーランプユニット６が矢印方向へ移動することで露光が開始され、コピーランプ６ａにより原稿を照射した画像情報を含む照射光は、第１ミラー７ａから第２ミラー７ｂ、第３ミラー７ｃ、光学（結像）レンズ８から、ＣＣＤ９へ入力されることによって読み取られる。
【００３３】
このようにして読み取られた画像情報は、装置に配置される図示しない制御部のＣＣＤ回路で、入射光の画像情報が電気的信号に変換され、その画像情報信号は、設定された条件で画像処理が行われ、ＬＳＵユニットへプリントデータとして送信される。なお、この制御部により、後述するように、排紙部（排紙トレイ）５０を照明するための一連の制御が行なわれる。
【００３４】
他方、感光体ドラム１０は帯電ユニット１４により、全体が所定帯電電位に帯電される。ＬＳＵからのレーザ光は、ポリゴンミラー（図示せず）、各種レンズ（図示せず）を通して、感光体ドラム１０へ照射されて、感光体ドラム１０上に静電潜像が形成される。その後、現像槽中のＭＧローラ上のトナーが、感光体ドラム１０面上に引き寄せられて静電潜像はトナーによって感光体ドラム１０上の電位ギャップに応じて顕像化される。
【００３５】
作像される用紙は、タイミングを合わせてレジストローラ１６により、感光体ドラム１０方向へ搬送され、転写ユニット１２により感光体ドラム１０上のトナーが用紙に転写される。感光体ドラム１０上の残留したトナーはクリーニングブレード（図示せず）によって掻き取られ、クリーナーユニット１３により回収される。
【００３６】
他方、トナーの転写が終了した用紙は、定着装置１７の両ローラを通過して、加圧下で加熱され、用紙上の未定着トナーが用紙に溶融・固着され、排紙ローラ１８により装置内の排紙トレイ（図示せず）に排出される。
【００３７】
《給紙カセット》
給紙カセット１９は、図２に示すように、前面板１９ａに一体的に形成された有底の矩形箱状の筐体（カセット本体）１９ｂを具備し、その筺体１９ｂ内に用紙を収容し、かつ、図３に示すように、画像形成装置１の手前側から前面板１９ａに手をかけて、画像形成装置１に対して挿入・引き出し（挿脱）動作可能に構成されている。なお、画像形成装置１の装置本体内には、筺体１９の左右両側下部をガイドするためのガイドレール（図示省略）が敷設されている。
【００３８】
この給紙カセット１９の右端（図２参照）には、一対の分離爪５２（５２１，５２２）が設けられている。この分離爪５２は、用紙を複数枚セット（収容）した場合に、セットされた用紙位置の最上限を規制する。
【００３９】
用紙を補給する場合は、図４に示すように、前面板１９ａに手をかけて、給紙カセット１９を画像形成装置１の手前に引き出し、まず、図５に示すように、用紙の大きさに合わせてガイド部材２６，２７，２８をセットする。次いで、図６に示すように、用紙載せ台２９をスプリング（図示省略）の弾発力に抗して押し下げて最下位置で仮固定の状態とする。そして、用紙を捌いた後、図７に示すように、用紙をセットする。このとき、用紙は、分離爪５２１，５２２の高さ（適正な収容位置）まで載置することができる。なお、奥側のガイド部材２７には、Ｍａｘｉｍｕｍ  ｈｅｉｇｈｔ  ｌｉｎｅ（最大高さライン）の表示が施されている（図７参照）。
【００４０】
図９は、用紙を収納するために、用紙載せ台２９が最下位置に押し下げられた状態を示し、図１０は、収納した用紙を繰り出すために、用紙載せ台２９が上方位置に押し上げられた状態を示す。なお、給紙カセット１９を挿入すると、挿入端に到達した時点で、用紙載せ台２９の仮固定の状態が解除され、スプリングの弾発力で用紙載せ台２９は、給紙可能な図１０に示す上方に位置に持ち上げられる。
【００４１】
その図１０で示す状態では、用紙の給紙方向の最上流側の端部が分離爪５２１，５２２によって規制され、用紙の浮き上がりが防止される。これにより、ピックアップローラ１５（図１参照）の回転によって用紙が繰り出される時には、複数の用紙を一度に給紙するダブルフィードや、ダブルフィードによるジャムの発生が防止される。
【００４２】
しかしながら、図９に示すように、給紙カセット１９に用紙を積載した状態で、フロントアクセスタイプの画像処理装置１に対して、矢印Ａ方向に向けて給紙カセット１９を挿入すると、給紙カセット１９が装置本体から反力を受け、瞬時的に用紙が矢印Ａ方向に移動する。この時、分離爪５２１は記録紙の上端から離れ、分離爪としての機能を果たさなくなることがある。このような時には、例えば、図８の比較例に示すように、一部の用紙が分離爪５２１に上方に位置することとなり、給紙時にはダブルフィードやジャムの発生原因となる。
【００４３】
そこで、本発明では、分離爪５２１を給紙カセット１９の挿脱方向に往復移動自在（揺動自在）に構成して、給紙カセット１９の挿入時には、用紙と共に移動させるようにしている。その構成は、図１１に示される。すなわち、図１１（ａ）は分離爪５２１が正規の基準位置にある状態を示す。図１１（ｂ）は、分離爪５２１が（奥側に向けて）移動した状態を示す。
【００４４】
これらの図に示すように、分離爪５２１は、基体５２１ａの先端に固定状態に取り付けられ、その基体５２１ａの基部５２１ｂに形成された軸孔（図示省略）が、給紙カセット１９の筺体１９ａの底板から立ち上げられた支持部１９ｃに横向き（底板に沿う方向）に突設された支軸５４に揺動自在に被嵌し、かつ、その支軸５４に被嵌されたスプリング５５によって、分離爪５２１が図示時計回りに付勢されている。
【００４５】
そして、基体５２１ａの先端が、筺体１９ｂの内側に設けた手前側規制部材（本発明の規制部材）５３１に当接することによって、図１１（ａ）に示のように、分離爪５２１が、正規の基準位置に位置規制される。なお、支軸５４に被嵌されたスプリング（本発明の弾発部材）５５の両端が、支軸５４のヘッド部５４ａと基体５２１ａの基部５２１ｂに対して付勢当接している。
【００４６】
このような構成により、給紙カセット１９が画像処理装置１に挿入されると、（矢印Ａ方向）、前述したように、給紙カセット１９に積載された用紙は、瞬時的に矢印Ａ方向に位置ずれするが、その際に、図１１（ｂ）に示すように、分離爪５２１も用紙と共に同方向に揺動するため、分離爪５２１は用紙の上端から外れることはない。
【００４７】
給紙カセット１９に積載された用紙は用紙載せ台２９によって上方に向けて付勢され、その上面は、分離爪５２１に付勢状態で当接（押圧）しているため、分離爪５２１と用紙との間には、所定の摩擦力が作用している。この摩擦力により、給紙カセット１９の装着時に用紙が位置ずれする際には、分離爪５２１が、スプリング５５の弾発力に抗して、矢印Ａ方向に用紙と共に、一旦、揺動する。しかし、その後、スプリング５５の弾発力で、直ちに、図１１（ａ）に示す元の正規の基準位置に復帰する。従って、この状態から、用紙が繰り出されるため、用紙が、分離爪５２１の上方にはみ出すことがなく、ダブルフィードやジャムの発生を防止して、適切な給紙動作が可能となる。
【００４８】
また、給紙カセット１９の装着時の衝撃により分離爪５２１は矢印Ａ方向に用紙と共に揺動するが、過度に揺動することないように、分離爪５２１の奥側に、奥側規制部材（本発明の規制部材）５３２を設けている。すなわち、その奥側規制部材５３２は、基体５２１ａを挟んで、手前側規制部材５３１と反対側の筺体１９ｂの内側に設けられている。
【００４９】
このような奥側規制部材５３２によって、分離爪５２１の揺動動作範囲（移動範囲）を適切に規制することにより、分離爪５２１の破損を防止することができる。なお、その分離爪５２１の揺動動作範囲は、用紙の位置ずれを見込んで適切な範囲に設定されるべきであり、例えば、１ｃｍ〜２ｃｍ程度に設定することができるが、これに限定されることなく、給紙カセット１９の大きさや収納する用紙の大きさや収納できる最大用紙枚数等等に応じて、適切な範囲に設定されてよい。
【００５０】
また、図示は省略するが、この奥側規制部材５３２は、筺体１９ｂに対する固定位置を調整可能に構成してもよい。その場合には、図示は省略するが、例えば、筺体１９ｂの内側に手前側から奥側に向けて設けたガイドレールに摺動自在となるように取り付けた奥側規制部材５３２をボルトや係止部材等の固定手段によって、筺体１９ｂの適宜位置に固定できるように構成すればよい。
【００５１】
図１２（ａ）（ｂ）は、他の実施形態を示し、この場合、スプリング５６を基体５２１ａの中間部における手前側側面と筺体１９ｂに設けた壁部１９ｃとの間に介装している。なお、上述のスプリング５５，５６は、その他の弾発部材であってもよく、例えば、板ばね、ゴム等を用いることもできる。
【００５２】
なお、画像形成装置１は、図１に示す構成に限定されることなく、少なくとも画像情報に基づいて画像を形成する画像形成部と、記録紙を積載する給紙カセットと、を備え、前記画像形成部で形成した画像を、前記給紙カセットから繰り出した記録紙に転写する画像形成装置であれば、その構成や形式の如何を問わず、本発明を適用することができる。
【００５３】
【発明の効果】
以上の説明から明らかなように、本発明は、以下の効果を奏する。
【００５４】
（１）分離爪を給紙カセットの着脱方向に往復移動自在に取り付けるので、給紙カセットの挿入時に衝撃が発生しても、記録紙と分離爪が共に移動するため、分離爪が記録紙の上端から離れることがない。従って、記録紙が分離爪から外れることがなく、ダブルフィードやジャムの発生を防止することができ、安定した給紙が可能となる。
【００５５】
（２）分離爪の移動範囲を規制する規制部材を備えるので、給紙カセットの挿入時に、大きな衝撃が発生しても、分離爪は、その大きな移動動作が規制されるため、破損を免れる。また、記録紙の挿入時に分離爪は規制部材によって移動範囲が規制されているので、記録紙挿入時の妨げになるのが阻止される。
【００５６】
（３）分離爪の両端に規制部材を設けたので、給紙カセットの挿入時に、大きな衝撃が発生しても、分離爪の大きな移動が規制されるため、破損を免れる。また、記録紙の挿入時に分離爪は規制部材によって移動範囲が規制されるので、記録紙挿入時の妨げになることがない。
【００５７】
（４）分離爪が、弾発部材によって、給紙カセットの取り出し方向に付勢されているので、給紙カセットの挿入時に、揺動した分離爪を元の位置に復帰させた後に、給紙動作を開始することができる。従って、ダブルフィードやジャムの発生を防止して、安定した給紙が可能となる。
【００５８】
（５）画像形成装置が、分離爪を給紙カセット着脱方向に往復移動自在に取り付けた給紙カセットを備えているので、給紙カセット装着時に、衝撃が加わった場合であっても、記録紙と分離爪が共に移動し、分離爪が記録紙の上端から離れることがないので、記録紙が分離爪から外れることがなく、ダブルフィードやジャムの発生を防止することができ、安定した給紙が可能となる。
【図面の簡単な説明】
【図１】本発明の実施の形態に係る画像形成装置の構成図である。
【図２】同給紙カセットの平面図である。
【図３】同画像形成装置の斜視図である。
【図４】同給紙カセットを引き出している状態の説明図である。
【図５】同給紙カセットのガイド部材を設定している状態の説明図である。
【図６】同用紙載せ台を押し下げた状態の説明図である。
【図７】同用紙を給紙カセットにセットしている状態の説明図である。
【図８】同用紙の一部が分離爪からはみ出した状態の比較例の説明図である。
【図９】同用紙載せ台を押し下げた状態の給紙カセットの斜視図である。
【図１０】同用紙載せ台が押し上げられた状態の給紙カセットの斜視図である。
【図１１】同分離爪の支持構造と揺動状態を示す説明図である。
【図１２】同別の分離爪の支持構造と揺動状態を示す説明図である。
【符号の説明】
１−画像形成装置
１９−給紙カセット
１９ｂ−カセット本体（筺体）
３０−画像形成部
５２（５２１，５２２）−分離爪
５３１，５３２−規制部材
５５，５６−弾発部材
【図１】
2004315158.tif 000003
【図２】
2004315158.tif 000004
【図３】
2004315158.tif 000005
【図４】
2004315158.tif 000006
【図５】
2004315158.tif 000007
【図６】
2004315158.tif 000008
【図７】
2004315158.tif 000009
【図８】
2004315158.tif 000010
【図９】
2004315158.tif 000011
【図１０】
2004315158.tif 000012
【図１１】
2004315158.tif 000013
【図１２】
2004315158.tif 000014